(57)【要約】      （修正有）【課題】スチーム流路等にスチームの水分が残留しないようにするスチームクリーナを提供する。【解決手段】スチームクリーナのスチーム流路の途中に、該スチーム流路で発生した水分を集水する貯水タンク５０を設ける。貯水タンク５０はスチーム流路の途中に設けられた貯水タンク装着ユニット４０に着脱可能に装着し、貯水タンク５０の着脱に伴って貯水タンクとの連通口１２ａを開閉する開閉弁１０を設けている。貯水タンク５０には開閉弁１０の押し上げ部材５１を設け、開閉弁５０を貯水タンクとの連通口１２ａ方向に付勢する付勢部材７を設けている。【選択図】図１
0003175824.tif 000002
【実用新案登録請求の範囲】
【請求項１】
高温高圧のスチームを噴射して被清掃部を洗浄するためのスチームクリーナであって、
前記スチームクリーナのスチーム流路の途中に、該スチーム流路で発生した水分を集水する貯水タンクを設けたことを特徴とするスチームクリーナ。
【請求項２】
前記貯水タンクを、前記スチーム流路の途中に設けられた貯水タンク装着ユニットに着脱可能に装着し、前記貯水タンク装着ユニットに、貯水タンクの着脱に伴って貯水タンクとの連通口を開閉する開閉弁を設けたことを特徴とする請求項１に記載のスチームクリーナ。
【請求項３】
前記貯水タンクに前記開閉弁の押し上げ部材を設けるとともに、前記開閉弁を前記貯水タンクとの連通口方向に付勢する付勢部材を設けたことを特徴とする請求項２に記載のスチームクリーナ。
【請求項４】
前記貯水タンク装着ユニットは、螺旋状スチーム流路を有するチャンバ部に、スチーム出入口部と、前記貯水タンクとの連通口と、該連通口の開閉弁と、前記貯水タンクの着脱部とを設けたものであることを特徴とする請求項２又は請求項３に記載のスチームクリーナ。
【請求項５】
前記チャンバ部に上面部と下面部で区画された上部空間部を設け、前記螺旋状スチーム流路を通過したスチームを前記上部空間部に導く筒部を設けるとともに、前記上部空間部に前記チャンバ部のスチーム出口部を連通させ、また前記上部空間部の下面部に、該上部空間部で発生した水分を前記貯水タンク方向に導く水抜き通路を設けたことを特徴とする請求項４に記載のスチームクリーナ。
【請求項６】
前記螺旋状スチーム流路は、前記筒部の外周部に嵌着されたスクリュー部材により形成されており、該スクリュー部材に複数のリブを設けたことを特徴とする請求項４又は請求項５に記載のスチームクリーナ。
【請求項７】
前記筒部の下端部に前記開閉弁を上下可動に設け、前記筒部の内部に該開閉弁の付勢部材を設けたことを特徴とする請求項５又は請求項６に記載のスチームクリーナ。
【請求項８】
前記貯水タンクは上端部が開口した有底筒形状であり、前記開閉弁の押し上げ部材は、前記貯水タンクの上端部に設けられた支持フレームに前記開閉弁の押圧部を突設したものであることを特徴とする請求項３から請求項７の何れかに記載のスチームクリーナ。
【請求項９】
前記貯水タンクの上端部に係合凸部を設け、前記チャンバ部の下端部に該係合凸部の係入口を設けることにより、前記貯水タンクを前記チャンバ部に着脱可能としたことを特徴とする請求項４から請求項８の何れかに記載のスチームクリーナ。
【請求項１０】
前記スチーム流路は、前記貯水タンク装着ユニットに連結されるスチーム導管であり、前記貯水タンク装着ユニットのスチーム入口側のスチーム導管に、該スチーム導管を開閉するトリガーユニットを設けたことを特徴とする請求項２から請求項９の何れかに記載のスチームクリーナ。
【請求項１１】
前記トリガーユニットの作動を規制するロックユニットを設けたことを特徴とする請求項１０に記載のスチームクリーナ。
【考案の詳細な説明】
【技術分野】
【０００１】
本考案は、高温高圧スチームを噴射して被清掃部に付着した汚れを除去するスチームクリーナに関するものである。
【背景技術】
【０００２】
調理台、調理器具等に強固に付着した油汚れや、浴室等に付着したカビ等を除去するためのスチームクリーナが従来から知られている。スチームクリーナは、高温高圧スチームを被清掃部に吹き付け、被清掃部に付着した汚れを浮き上がらせて除去するものであり、高圧スチーム発生装置とスチーム噴出装置をホースで連結したキャニスタータイプや、これらを一体小型化したハンディタイプなどが市販されている。
【０００３】
このようなスチームクリーナのスチーム流路等には、前回使用した際のスチームが水分となって残っており、使い始めに先端ノズルから残留水分が流出して床面を濡らしてしまうという問題や、残留水分を多く含んだスチームが噴出するため汚れ除去効率が低下する等の問題がある。
【０００４】
なお、スチームクリーナに関しては、例えばスチームの噴射により除去された被清掃部の汚れをスチーム又は液化した汚水とともに負圧によって吸引する吸引手段を設けたものなどが知られているが（特許文献１、特許文献２）、吸引装置や、吸引した汚水を浄化する装置等が必要になるため、スチームクリーナが大型化、複雑化し、コストも高くなる等の問題がある。
【先行技術文献】
【特許文献】
【０００５】
【特許文献１】特許第３４８４１８８号公報
【特許文献２】特開２００４−３５１１９１号公報
【考案の概要】
【考案が解決しようとする課題】
【０００６】
本考案は上述したような現状に鑑みて提案されたものであり、その主たる解決課題は、スチームクリーナのスチーム流路等にスチームの水分が残留しないようにすることである。
【課題を解決するための手段】
【０００７】
前記課題を解決するため請求項１の考案にあっては、高温高圧のスチームを噴射して被清掃部を洗浄するためのスチームクリーナであって、
前記スチームクリーナのスチーム流路に、該スチーム流路で発生した水分を集水する貯水タンクを設けたことを特徴とする。
【０００８】
この考案によれば、スチームクリーナのスチーム流路内で発生した水分（スチーム液化水分）が貯水タンクに流入して集められるため、スチーム流路内に水分が残留し、それがノズル先端等から流出することを防ぐことができる。
【０００９】
貯水タンクはスチーム流路の途中に設けられるが、デザイン性や重量バランス等を考慮してスチーム流路の先端部又は後端部に設けることも本考案の技術的範囲に含まれ、必要であれば複数箇所に設けてもよい。ここでの貯水タンクは水を貯留できるものであれば特に限定されるものではなく、耐熱性の袋状のものであってもよい。また、スチームクリーナと固定式としてもよいが、この場合は貯水タンクに開閉蓋等を設けて貯留水を廃棄することができる。
【００１０】
また請求項２の考案にあては、前記貯水タンクを、前記スチーム流路の途中に設けられた貯水タンク装着ユニットに着脱可能に装着し、前記貯水タンク装着ユニットに、貯水タンクの着脱に伴って貯水タンクとの連通口を開閉する開閉弁を設けたことを特徴としている。
【００１１】
この考案によれば、貯水タンクを取り外したときに、高温高圧スチームが貯水タンク装着ユニットから不用意に噴出する危険を防止することができ、安全性を確保できる。
【００１２】
また請求項３の考案にあっては、前記貯水タンクに前記開閉弁の押し上げ部材を設けるとともに、前記開閉弁を前記貯水タンクとの連通口方向に付勢する付勢部材を設けたことを特徴とするものである。
【００１３】
この考案によれば、貯水タンク装着ユニットに貯水タンクを取り付けたときに押し上げ部材が開閉弁を押し上げて貯水タンクとの連通口を開け、貯水タンクを取り外したときに付勢部材により開閉弁が連通口を閉じることができる。このため、貯水タンクを取り外したときに、貯水タンク連通口からの高温高圧スチームの噴出防止を簡単な構成で実現できる。
【００１４】
また請求項４の考案にあっては、前記貯水タンク装着ユニットは、螺旋状スチーム流路を有するチャンバ部に、スチーム出入口部と、前記貯水タンクとの連通口と、該連通口の開閉弁と、前記貯水タンクの着脱部とを設けたものであることを特徴とするものである。
【００１５】
この考案によれば、スチーム入口部から流入したスチームがチャンバ部を螺旋状に流通する間に比重の重い水分が落下するとともに、周囲の壁面等にスチームに含まれる余分な水分が付着して除去される。除去された水分は連通口を通って貯水タンクに落下することになる。
【００１６】
また請求項５の考案にあっては、前記チャンバ部に上面部と下面部で区画された上部空間部を設け、前記螺旋状スチーム流路を通過したスチームを前記上部空間部に導く筒部を設けるとともに、前記上部空間部に前記チャンバ部のスチーム出口部を連通させ、また前記上部空間部の下面部に、該上部空間部で発生した水分を前記貯水タンク方向に導く水抜き通路を設けたことを特徴とする。
【００１７】
この考案によれば、前述の螺旋状スチーム流路において水分除去されたスチームが、上部空間部の上面部等に当たり、スチームに含まれる水分がさらに除去され、含有水分の少ない良質なスチームとなる。上部空間部で除去された水分は下面部の水抜き通路を通って貯水タンクに落下する。
【００１８】
また請求項６の考案にあっては、前記螺旋状スチーム流路は、前記筒部の外周部に嵌着されたスクリュー部材により形成されており、該スクリュー部材に複数のリブを設けたことを特徴とするものである。
【００１９】
この考案によれば、チャンバ部に流入したスチームは、スクリュー部材に沿って筒部の外周部を旋回しながら流れ、その間にスクリュー部材やそのリブにスチームが当たって水分が除去される。また筒部にスクリュー部材を嵌着するだけで簡単に螺旋状スチーム流路を形成することができる。
【００２０】
また請求項７の考案にあっては、前記筒部の下端部に前記開閉弁を上下可動に設け、前記筒部の内部に該開閉弁の付勢部材を設けたことを特徴とするものである。
【００２１】
この考案によれば、チャンバ内のスチーム流路となる筒部を利用して開閉弁とその付勢部材を装着することができるため、開閉弁の開閉機構を簡略化できる。
【００２２】
また請求項８の考案にあっては、前記貯水タンクは上端部が開口した有底筒形状であり、前記開閉弁の押し上げ部材は、前記貯水タンクの上端部に設けられた支持フレームに前記開閉弁の押圧部を突設したものであることを特徴とするものである。
【００２３】
この考案によれば、開閉弁の押し上げ部材を貯水タンクの上部に簡単に取り付けることができ、貯水タンクの構成も簡略化することができる。
【００２４】
また請求項９の考案にあっては、前記貯水タンクの上端部に係合凸部を設け、前記チャンバ部の下端部に該係合凸部の係入口を設けることにより、前記貯水タンクを前記チャンバ部に着脱可能としたことを特徴とするものである。
【００２５】
この考案によれば、貯水タンクとチャンバ部の着脱機構が簡略化でき着脱操作も簡単である。
【００２６】
また請求項１０の考案にあっては、前記スチーム流路は、前記貯水タンク装着ユニットに連結されるスチーム導管であり、前記貯水タンク装着ユニットのスチーム入口側のスチーム導管に、該スチーム導管を開閉するトリガーユニットを設けたことを特徴とするものである。
【００２７】
この考案によれば、貯水タンク装着ユニットのスチーム入口側でスチーム流路の開閉を行うことができるため、貯水タンクユニットに余分なスチームが流入することがなくなる。また、スチームクリーナのノズル部からのスチームの噴出及び中止を簡単に切り換えることができる。
【００２８】
また請求項１１の発明にあっては、前記トリガーユニットの作動を規制するロックユニットを設けたことを特徴とする。
【００２９】
この考案によれば、トリガーユニットが不用意に作動しスチームクリーナのノズル部から高温高圧スチームが噴出する危険性を防止できる。
【考案の効果】
【００３０】
本考案によれば、スチームクリーナのスチーム流路等に液化したスチームの水分が残留しないため、例えば使用開始の際にノズル部から残留水が吹き出ることを防止することができる。また、上述した各請求項の考案に特有の効果を期待できる。
【図面の簡単な説明】
【００３１】
【図１】本考案に係るスチームクリーナを示す全体断面図である。
【図２】本考案に係るスチームクリーナを示す分解斜視図である。
【図３】本考案のチャンバ部の中央縦断面斜視図である。
【図４】本考案のチャンバ部の中央手前側の縦断面斜視図である。
【図５】本発明のロックユニットの拡大断面斜視図である。
【図６】本発明のトリガーユニットの拡大断面図である。
【考案を実施するための形態】
【００３２】
以下、本考案の実施形態を添付図面に基づいて説明する。図１は本考案に係るスチームクリーナ１００を示す全体断面図、図２は同じく分解斜視図であり、スチームクリーナ１００は図示しない連結ホースを介して高圧スチーム発生装置と連結されている。
【００３３】
スチームクリーナ１００は、ボディ部２０と、そのボディ部２０に内挿されたスチーム導管ユニット３０と、スチーム導管ユニット３０の途中に設けられた貯水タンク装着ユニット４０とを有しており、貯水タンク装着ユニット４０に貯水タンク５０が着脱可能に設けられている。
【００３４】
ボディ部２０は、図２に示すように左右ハウジング１，２を嵌め合わせた長尺矩形体であり、小筒先端部２０ａには左右ハウジング１，２を固定するための固定リング３が嵌着されている。また、ボディ部２０の後端部２０ｂにはホース連結管５が固定されており、このホース連結管５に前述の高圧スチーム発生装置との連結ホースが連結される。
【００３５】
ボディ部２０の略中央部の下部には、前記貯水タンク装着ユニット４０を覆う円筒部２０ｃが形成されており、その後部側はスチーム導管ユニット３０の流路を開閉するトリガーユニット６０と、トリガーユニット６０の作動をロック及び解除するロックユニット７０が設けられている。
【００３６】
貯水タンク装着ユニット４０は、螺旋状のスチーム流路を有するチャンバ部材４と、その上部に装着される蓋部材６と、チャンバ部材４の内部に装入されるスクリュー部材９と、貯水タンク５０への水分の流入を開閉する開閉弁１０及びその付勢部材７と、スクリュー部材９の支持リング１２を備えている。
【００３７】
貯水タンク装着ユニット４０のチャンバ部材４は、図３及び図４に示すように下部が階段状に拡径した概略円筒形状となっており、内部中央部には軸方向に延びる筒部４ａが設けられている。チャンバ部材４の上面部は蓋部材６が支持リング６ａを介して装着され、仕切面４ｇと蓋部材６の間に上部空間部４ｆが形成されている。ここでは、上部空間部４ｆの上面部が蓋部材６であり下面部が仕切面４ｇである。
【００３８】
上部空間部４ｆには、前記筒部４ａの先端部が突出されており、その側部には短筒部４ｂが並設されている。チャンバ部材４のスチーム出口部４eは短筒部４ｂと連通し、スチーム入口部４ｄはチャンバ部材４の内部空間部４ｃと連通している。また、仕切面４ｇには図４に示すように水抜き通路４ｈの上端が開口されている。この水抜き通路４ｈは、筒部４aに沿って設けられており、仕切面４ｇに落下した水分を、内部空間部４ｃを通して貯水タンク５０方向に導いている。なお、筒部４ａの下端部には、図４に示すように縦長のスチーム導入口部４ｊが形成されている。
【００３９】
このような筒部４ａの下端部には開閉弁１０が装着されている。すなわち、筒部４ａの内部中央部には、図３に示すようにリング形状の受け部４ｉが形成されており、その受け部４ｉの下部にバネ等の付勢部材７と開閉弁１０の軸部１０ａが挿入されている。付勢部材７の上端部は受け部４ｉと当接し、下端部は開閉弁軸部１０ａに止着されている。これにより、開閉弁１０は筒部４ａに対して上下可動となっており、付勢部材７により常に下方に付勢された状態となっている。なお、開閉弁軸部１０ａは底面部を除き内部が中空となっている。
【００４０】
チャンバ部材４に挿入されるスクリュー部材９はリング形状となっており、チャンバ部材４の内部空間部４ｃにおける筒部４ａの外周部に嵌着されている。スクリュー部材９の上面部には複数のリブ９ａがスチーム入口部４d側から前記筒部４ａのスチーム導入口部４ｊに向かって螺旋状となるように形成されている。
【００４１】
支持リング１２は、下端開口部が後述する貯水タンク５０との連通口１２ａとなっており、図３に示すように内部フランジ部１２ｂにゴムリング等の受け部材１１が装着されている。この支持リング１２は、パッキン１３を介してチャンバ部材４の下端拡径部に装着されており、その上端縁部によりスクリュー部材９の下端縁部が支持されている。
【００４２】
貯水タンク５０は、有底筒形状の内筒部５０ａと、その内筒部５０ａの外側に被着された外枠部５０ｂから構成されており、内筒部５０ａの上端部には前記開閉弁１０の押し上げ部材５１が嵌着されている。押し上げ部材５１は、図２及び図３に示すように、リング部５１ａと、その中央部に突設された押圧部５１ｃと、この押圧部５１ｃをリング部５１ａに支持する支持フレーム５１ｂから構成されている。外枠部５０ｂは内筒部５０ａを直接触れないように断熱するためのである。なお、貯水タンク５０の上端外周部には複数の係合凸部５０ｃが形成されている（図２、図３参照）。
【００４３】
このような貯水タンク５０は、図３に示すように、チャンバ部材４の下端部に着脱可能に係入されている。すなわち、チャンバ部材４の下端拡径部の周方向には複数の係入口４ｋ（図４参照）が形成されており、貯水タンク５０の上端部に形成された前記係合凸部５０ｃがパッキン５２を介して係入口４ｋに係入されている。なお、ボディ部２０の円筒部２０ｃには押さえリング１４（図１、図２参照）が着脱可能に嵌め込まれており、貯水タンク５０がチャンバ部材４から離脱しないようにしている。
【００４４】
スチーム導管ユニット３０は、図１及び図２に示すように前部導管３１と後部導管３２から構成されており、前部導管３１の先端部にはノズル部３１ａが設けられ、後端部が前記チャンバ部材４のスチーム出口部４ｅの内周部にパッキン３３を介装させて連結されている。また、後部導管３２は先端大径部が同じくスチーム入口部４ｄの外周部にパッキン３４を介装させて連結されており、後端部にはコネクタ３５によりスチーム導入管３６が連結されている。なお、後部導管３２の中間部には、この後部導管３２と連通するピストン挿通管部３２ａが分岐して設けられている。
【００４５】
トリガーユニット６０は、図１及び図６に示すように、スチーム導管ユニット３０の後部導管３２のスチーム流路を開閉するためのものであり、ピストン挿通管部３２ａにスライド可能に挿入されたロッド形状のピストン部材６１と、そのピストン部材６１を進退させるレバー部材６２から構成されている。ピストン部材６１は、その後端部近くに係合部６１ａが突設されており、先端部近くと中間部にはパッキン６３が嵌装されている。
【００４６】
レバー部材６２は、図２に示すように略ボックス形状となっており、先端部にはアーム部６２ｂが起立して形成されている。このアーム部６２ｂの両側部には軸部６２ａが設けられ、一方のアーム部６２ｂの下端部近くには平坦な当接部６２ｃが形成されている。また、レバー部材６０の内面部には、ピストン部材６１の係合部６１ａと係合するガイド部６２ｄ（図１、図６参照）が斜め方向に形成されている。
【００４７】
レバー部材６０は、その軸部６２ａが左右ハウジング１，２の内面部に形成された軸穴部６２ｅ（図２、図６参照）に軸着されており、一方又は両方の軸部６２ａにはリング状テンションバネ等の付勢部材６４（図２参照）が巻着されている。なお、リング状テンションバネの一端はハウジング１の内面部の係止部（図示せず）に係止されている。これによりレバー部材６２は軸部６２aを支点として後端部側が上下動可能となっており、付勢部材６４により常に下方に戻るように付勢されている。
【００４８】
レバー部材６２は、常態では図６に示すように後端部側が降下しており、それに伴ってピストン部材６１は、レバー部材６２のガイド部６２dと係合する係合部６１ａによりピストン導管３２ａを前進し、図６に示すように後部導管３２のスチーム流路を閉止した状態となっている。また、レバー部材６２を押し上げると（握り締めると）、図１に示すように、ガイド部６２dと係合する係合部６１ａによりピストン部材６１がピストン導管３２ａを後退し、後部導管３２のスチーム流路が開通した状態となる。
【００４９】
ロックユニット７０は、図５に示すように、スライド部材７１と、このスライド部材に７１に先端部が固定され後端部が上下可動に保持されストッパ部材７２から構成されている。スライド部材７１には、前記レバー部材６２の当接部６２ｃと対応する位置に凸部７１ａが設けられており、ストッパ部材７２には、突片部７２ａがスライド部材７１から出没可能に突設されている。また、左右ハウジング１，２の一方または両方の内面部にはストッパ部材７２の後端部が突き当たる規制片７３が形成されている。
【００５０】
つぎに、上述したスチームクリーナ１００の使用方法及び高温高圧スチームの流れについて説明する。スチームクリーナ１００のホース連結管５には前述のように連結ホースを介して図示しない高圧スチーム発生装置と連結されており、高圧スチーム発生装置では高圧スチームが生成されている。
【００５１】
スチームクリーナ１００は、使用開始前は、図６に示すように、トリガーユニット６０のレバー部材６２の後端部側が降下しており、ピストン部材６１がピストン挿入管部３２ａを前進し、後部導管３２の流路を閉止した状態となっている。また、ロックユニット７０のスライド部材７１を前方にスライドさせることにより、スライド部材凸部７１ａがレバー部材当接部６２ｃの上方に位置し、レバー部材６２を押し上げようとしても（握り締めようとしても）当接部６２ｃが凸部７１ａと干渉して押し上げることができないようになっている。さらに、スライド部材７１を後方にスライドしようとしても、ストッパ部材７２の後端部が規制片７３に衝当するため後方にスライドできないようになっている。このようにロックユニット７０により、不用意にスチームが噴出しないようにレバー部材６２の作動が規制されている。
【００５２】
スチームクリーナ１００により被清掃物を洗浄するときは、ストッパ部材７２の突片部７２ａを押し下げると、ストッパ部材７２の後端部が規制片７３に衝当しない位置に押し下げられる。その後、スライド部材７１を後方にスライドすると、スライド部材凸部７１ａがレバー部当接部６２ｃと干渉しない位置となる。
【００５３】
この状態でレバー部材６２を押し上げると（握り締めると）、ピストン部材６１は、その係合部６１ａがレバー部材ガイド部６２dにガイドされてピストン挿入管部３２ａを後退し、後部導管３２の流路が開通した状態となる（図１の状態となる）。これにより、高圧スチーム発生装置で発生したスチームは、スチームクリーナ１００のホース連結管５、スチーム導入管３６及び後部導管３２を通ってチャンバ部材４の内部にスチーム入口部４ｄから流入する。
【００５４】
チャンバ部４においては、スチームはスチーム入口部４ｄから内部空間部４ｃに流入し、筒部４ａの外周方向を、スクリュー部材９に沿ってスチーム導入口部４ｊに向かって螺旋状に流れる。このときスチームは、回転流となって比重の重い水分が分離される。また、スチームはスクリュー部材９のリブ９ａ、内部空間部４ｃの内面部及び筒部４ａの外面部に当たり、スチームに含まれる余分な水分がそれらの部分に付着する。ここで分離された水分や前記壁面部等に付着した水分は，支持リング１２の連通口１２ａから貯水タンク５０に流下する。
【００５５】
一方、スクリュー部材９を通りスチーム導入孔４ｊから筒部４ａの内部に流入したスチームは、開閉弁１０の内部空間部及び筒部４ａの内部空間部を通って上部空間部４ｆに至り、蓋部材６の内面部や上部空間部４ｆの周側面部に当たってスチームに含まれるさらに余分な水分がそれらの壁面部に付着し除去される。ここで発生した水分は、水抜き通路４ｈを通って支持リング１２の連通口１２ａから貯水タンク５０に流下する。また、上部空間部４ｆ内のスチームは、短筒部４ｂを通り、スチーム出口部４ｅから前部導管３１に流出する。
【００５６】
前部導管３１に送り出されたスチームは、ノズル部３１ａから被清掃物に向かって噴出する。このスチームの高温高圧により、被清掃物に付着した汚れ等が除去される。また、レバー部材６２の握りを開放すると、付勢部材６４の反発力によりレバー部材６２が押し下げられ、それに伴いガイド部６２ｄと係合する係合部６１ａによりピストン部材６１がピストン挿通管部３２ａを前進し、後部導管３２を閉止する。使用後又は一時的に使用を中止するときは、スライド部材７１を前進させると、上述したようにレバー部材６２の押し上げを規制することができる。
【００５７】
貯水タンク５０の内部に水が溜まったときは、チャンバ部４から貯水タンク５０を取り外して中の水を捨て、再びチャンバ部４に取り付ける。すなわち、貯水タンク５０を取り外すときは、押さえリング１４をボディ部円筒部２０ｃから取り外した後、貯水タンク５０を回してチャンバ部材係入口４ｋと貯水タンク係合凸部５０ｃの係合を解除する。
【００５８】
貯水タンク５０をチャンバ部４から取り外すと、貯水タンク５０に設けられている押し上げ部材５１の押圧部５１ｃが開閉弁１０の底面部から離れるため、開閉弁１０は、付勢部材７により降下して連通口１２ａの受け部材１３と密接し、連通口１２ａを密封する。これにより、チャンバ部４の内部等に留まっていたスチームが、連通口１２ａから噴出する危険性を防止することができる。
【００５９】
空の貯水タンク５０をチャンバ部材４に取り付けるときは、前述と逆の手順でチャンバ部材係入口４ｋと貯水タンク係合凸部５０ｃを係合し、押さえリング１４を取り付ける。この状態で、貯水タンク５０に設けられている押し上げ部材５１の押圧部５１ｃが付勢部材７に抗して開閉弁１０を底面部から押し上げるため、連通口１２ａが開口することになる。
【００６０】
上述した実施形態は本考案の一例を示したものであり、チャンバ部材４、スクリュー部材９、開閉弁１０、貯水タンク５０、押し上げ部材５１その他の構成部材は、上述した構成に限定されるものではなく、本考案の要旨にしたがって適宜変更することができる。また、本考案はキャニスタータイプ、ハンディタイプその他のいかなるタイプのスチームクリーナにも適用することができる。
【符号の説明】
【００６１】
１，２  ハウジング
４  チャンバ部
４ａ  筒部
４ｃ  内部空間部
４ｆ  上部空間部
４ｇ  仕切面部
４ｈ  水抜き通路
６  蓋部材
７  付勢部材
９  スクリュー部材
１０  開閉弁
１２  支持リング
１２ａ  連通口
２０  ボディ部
３０  スチーム導管ユニット
３１  前部導管
３２  後部導管
４０  貯水タンク装着ユニット
５０  貯水タンク
５１  押し上げ部材
６０  トリガーユニット
７０  ロックユニット
【図１】
0003175824.tif 000003
【図２】
0003175824.tif 000004
【図３】
0003175824.tif 000005
【図４】
0003175824.tif 000006
【図５】
0003175824.tif 000007
【図６】
0003175824.tif 000008